(57)【特許請求の範囲】
【請求項１】
スペクトル拡散信号を受信する受信回路と、その受信したスペクトル拡散信号が供給され、擬似雑音符号により逆拡散をして元の通信信号を復元する復調回路と、前記受信回路により受信したスペクトル拡散信号が供給され、そのスペクトル拡散信号と擬似雑音符号とに基いて各相関レベル信号を生成し、その各相関レベル信号を合成してＳカーブ信号を作成するＳカーブ信号作成回路と、このＳカーブ信号作成回路により作成されたＳカーブ信号の傾斜部における傾斜が一定となるように、その作成されたＳカーブ信号の頂点におけるレベルを前記受信回路により受信したスペクトル拡散信号と前記擬似雑音符号との間の相関値に応じて制御するレベル制御回路と、その制御されたＳカーブ信号の同期点において擬似雑音符号を発生させるようにその擬似雑音符号の位相を制御し、その位相の制御された擬似雑音符号を前記復調回路に供給する位相制御回路とを備えたことを特徴とするスペクトル拡散通信用復調装置。
【請求項２】
スペクトル拡散信号を受信する受信回路と、その受信したスペクトル拡散信号をデジタル信号に変換するＡ／Ｄ変換回路と、その変換されたデジタル信号を擬似雑音符号により逆拡散をして元の通信信号を復元する復調回路と、前記Ａ／Ｄ変換回路により変換されたデジタル信号が供給され、そのデジタル信号と既知符号列との間の相関値を検出し、その相関値が検出されたときにタイミング信号を発生する相関検出回路と、前記タイミング信号に基いてＳカーブ信号を作成するＳカーブ信号作成回路と、前記相関値に応じてその作成されたＳカーブ信号の傾斜部における傾斜を変化させて一定となるようにして、その一定の傾斜になったＳカーブ信号を出力する制御演算回路と、この制御演算回路の出力をアナログ信号に変換するＤ／Ａ変換回路と、そのアナログ信号に基いて擬似雑音符号の位相を制御し、その位相の制御された擬似雑音符号を前記復調回路に供給する擬似雑音符号発生回路とを備えたことを特徴とするスペクトル拡散通信用復調装置。
【発明の詳細な説明】
【０００１】
【発明の属する技術分野】
この発明は、スペクトル拡散通信方式を通信方式とする衛星移動通信システムなどに適用されるスペクトル拡散通信用復調装置に関する。
【０００２】
【従来の技術】
従来から、通信衛星を介して移動通信を実現する衛星移動通信システムが知られている。この衛星移動通信システムには、スペクトル拡散通信方式を通信方式とするものがある。この種の衛星移動通信システムでは、送信機は、通信信号を疑似雑音符号（ＰＮ符号）で拡散することにより周波数帯域が広げられたスペクトル拡散信号を作成し、この作成されたスペクトル拡散信号を送信する。一方、受信機は、当該スペクトル拡散信号を受信し、この受信されたスペクトル拡散信号を逆拡散することにより元の通信信号を復元する。
【０００３】
図７は、従来のスペクトル拡散受信機の構成を示すブロック図である。このスペクトル拡散受信機は、受信回路５０により受信されたスペクトル拡散信号のレベルを調整した後ディジタル化し、その結果得られるディジタル信号を復調装置５１により復調することにより元の通信信号を復元する。
【０００４】
より詳述すれば、このスペクトル拡散受信機は、可変利得増幅回路５２を備えている。可変利得増幅回路５２は、ＡＧＣ(Automatic Gain Control)回路５４から帰還される利得制御信号に基づいて、受信されたスペクトル拡散信号の利得を調整する。その結果、一定レベルの拡散信号が得られる。利得調整後のスペクトル拡散信号は、Ａ／Ｄ(Analog/Digital)変換回路５３に与えられ、このＡ／Ｄ変換回路５３においてディジタル信号に変換される。
【０００５】
このディジタル信号は、復調装置５１に与えられる。復調装置５１は、復調回路５５、相関検出回路５６およびＤＬＬ(Delay Locked Loop）回路５７を備えている。相関検出回路５６は、ディジタル信号に基づいて相関値を検出する。また、相関検出回路５６は、この相関値が求められたタイミングをタイミング信号としてＤＬＬ回路５７に与える。
【０００６】
ＤＬＬ回路５７は、受信されたスペクトル拡散信号を逆拡散する際のタイミングを追跡するものである。より詳述すれば、ＤＬＬ回路５７は、Ａ／Ｄ変換回路５３から与えられたディジタル信号を２系統に分配し、各ディジタル信号をそれぞれLate codeおよびEarly codeを使って逆拡散することにより、２つの相関レベル信号を得る。
【０００７】
Late codeおよびEarly codeは、相関検出回路５６から出力されるタイミング信号に基づいて発生されるものである。より具体的には、Late codeは、タイミング信号により規定されるＰＮ符号の発生タイミングの中心から１／２チップ（１チップ（Δ）はＰＮ符号の１ビット幅）だけ位相を遅らせたものである。したがって、ディジタル信号とLate codeとで得られる相関レベル信号は、図８(a)に示すように、−Δ／２を頂点とする三角形状の信号となる。一方、Early codeは、タイミング信号により規定されるＰＮ符号の発生タイミングの中心から１／２チップだけ位相を進ませたものである。したがって、ディジタル信号とEarly codeとで得られる相関レベル信号は、図８(b)に示すように、＋Δ／２を頂点とする三角形状の信号となる。
【０００８】
さらに、ＤＬＬ回路５７は、各相関レベル信号を減算する。これにより、図８(c)に示すように、いわゆるＳカーブ信号が得られる。このＳカーブ信号の中心は、同期点となる。そのため、ＤＬＬ回路５７は、このＳカーブ信号の中心にＰＮ符号の発生タイミングがくるように、Ｓカーブ信号に基づいてＰＮ符号の位相を制御する。これにより、逆拡散タイミングを追跡することができる。位相制御されたＰＮ符号は、復調回路５５に与えられる。
【０００９】
復調回路５５は、ＤＬＬ回路５７から与えられたＰＮ符号を用いて上記ディジタル信号を逆拡散する。こうして、元の通信信号（通信データ）を復元する。
【００１０】
【発明が解決しようとする課題】
ところで、スペクトル拡散通信では、信号成分の周波数帯域を拡散する。したがって、スペクトル拡散信号に含まれる信号成分は、非常に小さなレベルで受信されることになる。そのため、スペクトル拡散受信機において、信号成分と雑音成分との比であるＣ／Ｎは、非常に低い値となる。
【００１１】
すなわち、ＤＬＬ回路５７は、この非常に低いＣ／Ｎのディジタル信号に基づいて、相関レベル信号を作成することになる。この場合、相関レベル信号は相対的に低レベルの信号となるから、結局、この低レベルの相関レベル信号から得られるＳカーブ信号は、図９(a)に示すように、相対的に緩やかな傾斜６０を有する特性となる。従来のスペクトル拡散受信機は、Ｓカーブ信号の傾斜が通常緩やかであることを考慮し、最悪のＣ／Ｎの場合に得られる極めて緩やかな傾斜を有するＳカーブ信号でも良好に動作するように、設計されている。
【００１２】
ところで、スペクトル拡散受信機単独で試験する場合および折返しループにより自己診断する場合などのように雑音成分が極めて少ない場合には、Ｃ／Ｎは非常に大きな値となる。この場合、ＤＬＬ回路５７において求められる相関レベル信号は相対的に高レベルとなる。したがって、Ｓカーブ信号は、図９(b)に示すように、相対的に急峻な傾斜６１を有する特性となる。
【００１３】
しかしながら、上述のように、従来のスペクトル拡散受信機は極めて緩やかな傾斜を有するＳカーブ信号でも動作するように設計されているから、Ｓカーブ信号の傾斜があまりにも急峻だと非常に不安定になる。その結果、ＰＮ符号の位相制御を良好に行うことができなくなり、最終的に同期追跡不能となるおそれがある。
【００１４】
これに対処するためには、Ｃ／Ｎを意図的に低い値に変更し、Ｓカーブ信号の傾斜を緩やかにする必要がある。すなわち、雑音成分をわざわざスペクトル拡散信号の中に混入しなければならず、非常に不便であった。
【００１５】
そこで、この発明の目的は、上述の技術的課題を解決し、雑音成分が極めて少ない場合に、雑音成分をわざわざ混入してＣ／Ｎを意図的に低くしなくても、Ｓカーブ信号の傾斜を緩やかにすることができるスペクトル拡散通信用復調装置を提供することである。
【００１６】
【課題を解決するための手段】
請求項１に係るスペクトル拡散通信用復調装置は、スペクトル拡散信号を受信する受信回路と、その受信したスペクトル拡散信号が供給され、擬似雑音符号により逆拡散をして元の通信信号を復元する復調回路と、前記受信回路により受信したスペクトル拡散信号が供給され、そのスペクトル拡散信号と擬似雑音符号とに基いて各相関レベル信号を生成し、その各相関レベル信号を合成してＳカーブ信号を作成するＳカーブ信号作成回路と、このＳカーブ信号作成回路により作成されたＳカーブ信号の傾斜部における傾斜が一定となるように、その作成されたＳカーブ信号の頂点におけるレベルを前記受信回路により受信したスペクトル拡散信号と前記擬似雑音符号との間の相関値に応じて制御するレベル制御回路と、その制御されたＳカーブ信号の同期点において擬似雑音符号を発生させるようにその擬似雑音符号の位相を制御し、その位相の制御された擬似雑音符号を前記復調回路に供給する位相制御回路とを備えたものである。
請求項２に係るスペクトル拡散通信用復調装置は、スペクトル拡散信号を受信する受信回路と、その受信したスペクトル拡散信号をデジタル信号に変換するＡ／Ｄ変換回路と、その変換されたデジタル信号を擬似雑音符号により逆拡散をして元の通信信号を復元する復調回路と、前記Ａ／Ｄ変換回路により変換されたデジタル信号が供給され、そのデジタル信号と既知符号列との間の相関値を検出し、その相関値が検出されたときにタイミング信号を発生する相関検出回路と、前記タイミング信号に基いてＳカーブ信号を作成するＳカーブ信号作成回路と、前記相関値に応じてその作成されたＳカーブ信号の傾斜部における傾斜を変化させて一定となるようにして、その一定の傾斜になったＳカーブ信号を出力する制御演算回路と、この制御演算回路の出力をアナログ信号に変換するＤ／Ａ変換回路と、そのアナログ信号に基いて擬似雑音符号の位相を制御し、その位相の制御された擬似雑音符号を前記復調回路に供給する擬似雑音符号発生回路とを備えたものである。
【００１７】
【発明の実施の形態】
以下では、この発明の実施の形態を、添付図面を参照して詳細に説明する。
【００１８】
実施の形態１
図１は、この発明の実施の形態１に係るスペクトル拡散通信用復調装置が適用される衛星移動通信システムの構成を示す概念図である。この衛星移動通信システムは、基地局１、移動局２および通信衛星３を有し、基地局１と移動局２とが通信衛星３を介して無線信号を送受することにより、移動通信を実現するものである。
【００１９】
より具体的には、この衛星移動通信システムは、通信方式として直接スペクトル拡散方式を利用している。すなわち、基地局１および移動局２は、通信データに基づいて一次変調信号を作成し、この一次変調信号と疑似雑音符号（以下「ＰＮ符号」という。）とを演算することにより、周波数帯域の広がったスペクトル拡散信号を作成する。
【００２０】
基地局１および移動局２は、この作成されたスペクトル拡散信号を通信衛星３を介して移動局２および基地局１にそれぞれ送信する。基地局１および移動局２は、いずれも同じ構成のスペクトル拡散受信機４、５を有している。基地局１および移動局２は、このスペクトル拡散受信機４、５において受信されたスペクトル拡散信号をＰＮ符号を使って逆拡散することによりスペクトル拡散信号を復調し、元の通信データを復元する。
【００２１】
図２は、スペクトル拡散受信機４、５の構成を示すブロック図である。このスペクトル拡散受信機４、５は、受信回路１０により受信されたスペクトル拡散信号を復調装置１１においてディジタル的に復調するものである。より具体的には、このスペクトル拡散受信機４、５は、アナログ的なスペクトル拡散信号をディジタル信号に変換するＡ／Ｄ変換回路１３を備えている。また、このスペクトル拡散受信機４、５は、復調装置１１に入力されるディジタル信号の入力レベルを一定に保つための可変利得増幅回路１２およびＡＧＣ回路１４を備えている。
【００２２】
受信回路１０により受信されたスペクトル拡散信号は、可変利得増幅回路１２に入力される。可変利得増幅回路１２は、ＡＧＣ回路１４から出力された利得制御信号に応じて調整された利得でスペクトル拡散信号を増幅する。これにより、スペクトル拡散信号は所定の一定レベルの信号となる。増幅後のスペクトル拡散信号は、Ａ／Ｄ変換回路１３に与えられる。
【００２３】
Ａ／Ｄ変換回路１３は、スペクトル拡散信号をディジタル信号に変換する。この場合、Ａ／Ｄ変換回路１３は、後述するように、復調装置１１内のＤＬＬ回路１７から出力されたクロック信号に応じてＡ／Ｄ変換処理を実行する。ディジタル信号は、ＡＧＣ回路１４および復調装置１１に分配される。
【００２４】
ＡＧＣ回路１４は、ディジタル信号に基づいて利得制御信号を作成する。具体的には、ＡＧＣ回路１４は、ディジタル信号のレベルを判定し、この判定されたレベルに応じて利得を決定する。ＡＧＣ回路１４は、この決定された利得でスペクトル拡散信号が増幅されるような利得制御信号を作成し、この作成された利得制御信号を可変利得増幅回路１２に与える。こうして、可変利得増幅回路１２は、一定レベルのスペクトル拡散信号を出力することができる。
【００２５】
復調装置１１は、復調回路１５、相関検出回路１６およびＤＬＬ回路１７を備えている。Ａ／Ｄ変換回路１３から出力されるディジタル信号は、復調回路１５、相関検出回路１６およびＤＬＬ回路１７に対して並列に与えられる。相関検出回路１６は、ディジタル信号に基づいて逆拡散処理に必要なタイミング信号を作成する。具体的には、相関検出回路１６は、ディジタル信号と既知符号列との間の相関値を検出するとともに、この相関値が検出されたタイミングをタイミング信号として作成する。この場合、相関検出回路１６は、雑音成分が多いときには相対的に小さな相関値を検出し、信号成分が多いときには相対的に大きな相関値を検出する。すなわち、相関値は、信号成分レベルと雑音成分レベルとの比であるＣ／Ｎに等価である。相関検出回路１６は、作成されたタイミング信号をＤＬＬ回路１７に与える。また、相関検出回路１６は、検出された相関値をＤＬＬ回路１７に与える。
【００２６】
ＤＬＬ回路１７は、ディジタル信号を逆拡散する際の逆拡散タイミングを追跡するために、復調回路１５に与えるべきＰＮ符号の位相を制御するものである。より詳述すれば、ＤＬＬ回路１７は、相関検出回路１６から与えられたタイミング信号に基づいてＳカーブ信号を作成する。また、ＤＬＬ回路１７は、この作成されたＳカーブ信号を相関値に応じて制御し、この制御が施された後のＳカーブ信号に基づいてＰＮ符号の位相を制御する。ＤＬＬ回路１７は、この位相制御されたＰＮ符号を復調回路１５に与える。なお、ＤＬＬ回路１７は、上記Ｓカーブ信号をクロック信号としてＡ／Ｄ変換回路１３に与える。
【００２７】
復調回路１５は、ＤＬＬ回路１７から与えられた位相制御済のＰＮ符号とディジタル信号とを演算することにより、ディジタル信号を逆拡散する。その結果、元の一次変調信号が復元される。復調回路１５は、さらに、この一次変調信号に対して一次変調処理とは逆の処理である一次復調処理を施すことにより、元の通信データを復元する。
【００２８】
図３は、ＤＬＬ回路１７の内部構成を示すブロック図である。ＤＬＬ回路１７は、Ｓカーブ信号作成回路２０を備えている。Ｓカーブ信号作成回路２０は、Ａ／Ｄ変換回路１３から出力されたディジタル信号に基づいて、Ｓカーブ信号を作成するものである。より具体的には、Ｓカーブ信号作成回路２０は、逆拡散回路２１ａ、２１ｂ、フィルタ回路２２ａ、２２ｂおよび検波回路２３ａ、２３ｂからなる復調系統を２つ備えている。各逆拡散回路２１ａ、２１ｂは、ディジタル信号を逆拡散し、相関レベル信号を作成する。この場合、各逆拡散回路２１ａ、２１ｂは、それぞれ、Early codeおよびLate codeを使用する。すなわち、各逆拡散回路２１ａ、２１ｂは、それぞれ、ディジタル信号とEarly codeおよびLate codeとを演算することにより、相関レベル信号を作成する。逆拡散回路２１ａ、２１ｂから出力される相関レベル信号は、フィルタ回路２２ａ、２２ｂにおいて平滑化された後、検波回路２３ａ、２３ｂにおいて変調の影響が除去される。その後、相関レベル信号は、減算回路２４に与えられる。
【００２９】
ここに、Early codeおよびLate codeは、ＰＮ符号発生回路２５において発生される。ＰＮ符号発生回路２５は、相関検出回路１６から与えられるタイミング信号に基づいて、Early codeおよびLate codeを発生する。上述のように、タイミング信号は、復調回路１５における実際のＰＮ符号の発生タイミングに相当する。ＰＮ符号発生回路２５は、この発生タイミングから１／２チップだけ位相の進んだEarly codeを発生するとともに、上記発生タイミングから１／２チップだけ位相の遅れたLate codeを発生する。なお、１チップ（Δ）は、ＰＮ符号の１ビット幅に相当する。
【００３０】
減算回路２４は、各相関レベル信号を減算することにより、各相関レベル信号を合成する。その結果、Ｓカーブ信号が得られる。Ｓカーブ信号は、制御回路２６に与えられる。制御回路２６は、Ｓカーブ信号の傾斜を制御するものである。より具体的には、制御回路２６は、図４に示すように、レベル制御演算回路２６ａを備えている。レベル制御演算回路２６ａには、Ｓカーブ信号および相関検出回路１６から相関値が与えられる。
【００３１】
レベル制御演算回路２６ａは、上記相関値に応じてＳカーブ信号の傾斜部の傾斜を連続的に変化させる。具体的には、相関値が小さい場合、すなわちＣ／Ｎが低い値の場合、従来では、図５(a)に二点鎖線で示すように、緩やかな傾斜のＳカーブ信号となる。これに対して、この実施の形態１では、レベル制御演算回路２６ａは、Ｃ／Ｎが低い値のときには、図５(a)に実線で示すように、Ｓカーブ信号の傾斜部３５の傾斜を従来に比べて急峻なものにする。傾斜部３５は、Ｓカーブ信号のうち−Δ／２に対応する頂点Ａと＋Δ／２に対応する頂点Ｂとを結ぶ部分である。そのため、言い換えるならば、レベル制御演算回路２６ａは、Ｓカーブ信号の各頂点Ａ、Ｂをより高いレベルに変化させることにより、傾斜部３５の傾斜を急峻なものとしている。
【００３２】
また、相関値が大きい場合、すなわちＣ／Ｎが高い値の場合には、従来では、図５(b)に二点鎖線で示すように、急峻な傾斜のＳカーブ信号となる。これに対して、この実施の形態１では、レベル制御演算回路２６ａは、Ｃ／Ｎが高い値のときには、図５(b)に実線で示すように、Ｓカーブ信号の傾斜部３６の傾斜を従来に比べて緩やかなものとする。傾斜部３６は、Ｓカーブ信号のうち−Δ／２に対応する頂点Ｃと＋Δ／２に対応する頂点Ｄとを結ぶ部分である。そのため、言い換えるならば、レベル制御演算回路２６ａは、Ｓカーブ信号の各頂点Ｃ、Ｄをより低いレベルにすることにより、傾斜部３５の傾斜を緩やかなものとしている。
【００３３】
こうすることにより、Ｃ／Ｎの高低にかかわらずＳカーブ信号の傾斜をほぼ一定のものとすることができる。レベル制御演算回路２６ａは、傾斜制御済のＳカーブ信号を位相制御回路２７に与える。
【００３４】
位相制御回路２７は、ループフィルタ回路２８、Ｄ／Ａ(Digital/Analog)変換回路２９および電圧制御発振回路３０を備えている。ループフィルタ回路２８は、Ｓカーブ信号を平滑化し、この平滑化後のＳカーブ信号をＤ／Ａ変換回路２９に与える。Ｄ／Ａ変換回路２９は、Ｓカーブ信号をアナログ信号に変換した後、このアナログ信号を制御電圧として電圧制御発振回路３０に与える。電圧制御発振回路３０は、この制御電圧に応じた位相制御信号を発生する。この発生された位相制御信号は、ＰＮ符号発生回路２５に与えられる。ＰＮ符号発生回路２５は、この位相制御信号に基づいてＰＮ符号の位相を制御する。これにより、ＰＮ符号の位相を追跡制御することができ、その結果逆拡散タイミングを追跡することができる。また、上記発生された位相制御信号は、クロック信号としてＡ／Ｄ変換回路１３にも与えられる。
【００３５】
以上のようにこの実施の形態１によれば、Ｃ／Ｎに等価な相関値に基づいてＳカーブ信号の傾斜を制御しているから、Ｃ／Ｎの高低に依存することなくＳカーブ信号の傾斜をほぼ一定にすることができる。したがって、たとえばＣ／Ｎが極めて高い場合に、雑音成分をスペクトル拡散信号の中にわざわざ混入してＣ／Ｎを意図的に低くしなくても、Ｓカーブ信号の傾斜を自動的に緩やかにすることができる。そのため、Ｃ／Ｎに無関係に、受信されたスペクトル拡散信号を良好に復調することができる。ゆえに、復調安定性の向上が図られたスペクトル拡散受信機を提供することができる。
【００３６】
実施の形態２
図６は、この発明の実施の形態２に係る制御回路の構成を示すブロック図である。以下の説明では、図２および図３を必要に応じて参照する。
【００３７】
上記実施の形態１では、相関値の大小に応じてＳカーブ信号の傾斜を連続的に制御している。これに対して、この実施の形態２では、相関値の大小に基づいてＳカーブ信号の傾斜を段階的に制御する。
【００３８】
より詳述すれば、この実施の形態２に係る制御回路２６は、２つの入力端子４０ａ、４０ｂおよび１つの出力端子４０ｃを有する切替回路４０を備えている。入力端子４０ａ、４０ｂを２つ設けているのは、この実施の形態２では、Ｓカーブ信号の傾斜を２段階で制御するためである。一方の入力端子４０ｂには、減衰演算回路４１が接続されている。減衰演算回路４１は、減算回路２４から出力されたＳカーブ信号の傾斜が所定の傾きになるようにＳカーブ信号のレベルを減衰させるものである。すなわち、一方の入力端子４０ｂには、相対的に傾斜の緩やかなＳカーブ信号が入力することになる。他方の入力端子４０ａには、減算回路２４から出力されたＳカーブ信号がそのまま入力される。すなわち、他方の入力端子４０ａには、相対的に傾斜の急峻なＳカーブ信号が入力することになる。切替回路４０は、この２つの入力端子４０ａ、４０ｂを選択的に出力端子４０ｃに接続させる。
【００３９】
切替回路４０における切替処理は、相関値に基づいて制御される。すなわち、切替回路４０は、相関値の大小に応じて２つの入力端子４０ａ、４０ｂのうちいずれを出力端子４０ｃに接続させるかを決定する。より具体的には、切替回路４０は、相関値が相対的に大きい値の場合には、相対的に傾斜の緩やかなＳカーブ信号が入力される入力端子４０ｂを出力端子４０ｃに接続させる。これに対して、切替回路４０は、相関値が相対的に小さい値の場合には、相対的に傾斜の急峻なＳカーブ信号がそのまま入力される入力端子４０ａを出力端子４０ｃに接続させる。したがって、制御回路２６からは、相関値の大小に応じた２段階の傾斜のＳカーブ信号が出力されることになる。
【００４０】
以上のようにこの実施の形態２によれば、相関値の大小に応じた傾斜のＳカーブ信号が得られるから、実施の形態１の場合と同様に、Ｃ／Ｎの高低に依存することなくＳカーブ信号の傾斜をほぼ一定にすることができる。しかも、相関値の大小に応じてＳカーブ信号の傾斜を連続的に制御しないから、処理の簡素化を図ることができる。
【００４１】
なお、上記の説明では、Ｓカーブ信号の傾斜を２段階で制御する場合を例にとっている。しかし、Ｓカーブ信号の傾斜を３段階以上で制御するようにしてもよいことはもちろんである。
【００４２】
【発明の効果】
以上のようにこの発明によれば、Ｃ／Ｎに等価な相関値に応じてＳカーブ信号の傾斜を制御するから、Ｃ／Ｎの高低にかかわらずＳカーブ信号の傾斜をほぼ一定のものとすることができる。特に、Ｃ／Ｎが高い場合に、雑音成分をスペクトル拡散信号の中にわざわざ混入してＣ／Ｎを意図的に低くしなくても、Ｓカーブ信号の傾斜を緩やかなものにすることができる。そのため、Ｃ／Ｎの高低に依存することなく復調処理を良好に行うことができる。ゆえに、復調安定性が向上されたスペクトル拡散通信用復調装置を提供することができる。
【図面の簡単な説明】
【図１】  この発明の実施の形態１に係るスペクトル拡散通信用復調装置が適用される衛星移動通信システムの構成を示す概念図である。
【図２】  スペクトル拡散受信機の構成を示すブロック図である。
【図３】  ＤＬＬ回路の内部構成を示すブロック図である。
【図４】  制御回路の内部構成を示すブロック図である。
【図５】  Ｓカーブ信号の傾斜制御について説明するための図である。
【図６】  この発明の実施の形態２に係る制御回路の構成を示すブロック図である。
【図７】  従来のスペクトル拡散受信機の構成を示すブロック図である。
【図８】  Late codeに基づく相関レベル信号、Early codeに基づく相関レベル信号およびＳカーブ信号について説明するための図である。
【図９】  Ｓカーブ信号の傾斜変動について説明するための図である。
【符号の説明】
４、５  スペクトル拡散受信機、１１  復調装置、１５  復調回路、１６  相関検出回路、１７  ＤＬＬ回路、２０  Ｓカーブ信号作成回路、２６  制御回路、２６ａ  レベル制御演算回路、２７  位相制御回路、４０  切替回路、４１  減衰演算回路。
【図１】
0003694201.tif 000002
【図２】
0003694201.tif 000003
【図３】
0003694201.tif 000004
【図４】
0003694201.tif 000005
【図５】
0003694201.tif 000006
【図６】
0003694201.tif 000007
【図７】
0003694201.tif 000008
【図８】
0003694201.tif 000009
【図９】
0003694201.tif 000010